(57)【要約】【課題】シンプルな構造でありながら重量物である止水扉を建物等の出入口に容易に移動して止水可能とする引戸式止水装置を提供する。【解決手段】本発明に係る引戸式止水装置１，１０１は、止水扉２は、水圧面１０の裏面側１６に扉止水部１７を有すると共に、下底部に複数の自在ローラー３と複数のコロ５を有し、ガイド溝２１は、止水時に扉止水部１７と密着当接する溝止水部２２と、自在ローラー３が接地して移動する略水平な滑走面２３とコロ５を垂直方向に無負荷で案内するレール部２４を有し、レール部２４は、止水扉２の止水位置Ａにおいて止水扉２を水圧方向Ｐに移動自在とする案内凹部２６を形成し、ガイド支柱３１は、止水時に扉止水部１７と密着当接するガイド止水部３８と、止水扉２の傾倒を防止する支持部を有し、戸当り支柱４１は、止水時に扉止水部１７と密着当接する戸当り止水部４８を有することを特徴とする。【選択図】図６
2019077989.tif 000002
【特許請求の範囲】
【請求項１】
止水扉とガイド溝とガイド支柱と戸当り支柱とで出入口を止水する引戸式の止水装置であって
前記止水扉は、水圧面の裏面側に扉止水部を有すると共に、下底部に複数の自在ローラーと複数のコロを有し、
前記ガイド溝は、止水時に前記扉止水部と密着当接する溝止水部と、前記自在ローラーが接地して移動する略水平な滑走面と前記コロを垂直方向に無負荷で案内するレール部を有し、
前記レール部は、前記止水扉の止水位置において前記止水扉を水圧方向に移動自在とする案内凹部を形成し、
前記ガイド支柱は、止水時に前記扉止水部と密着当接するガイド止水部と、前記止水扉の傾倒を防止する支持部を有し、
前記戸当り支柱は、止水時に前記扉止水部と密着当接する戸当り止水部を有することを特徴とする引戸式止水装置。
【請求項２】
前記止水扉の前記下底部には、前記自在ローラーへの異物付着を防止する遮蔽部を形成したことを特徴とする請求項１に記載の引戸式止水装置。
【請求項３】
前記ガイド支柱は、水圧方向に略直交する前記ガイド支柱の外側面を止水する開閉式のガイド支柱止水部を有することを特徴とする請求項１または２に記載の引戸式止水装置。
【発明の詳細な説明】
【技術分野】
【０００１】
本発明は、水害の際に建物の出入口や通路を容易に止水可能な引戸式止水装置に関する。
【背景技術】
【０００２】
従来、大雨による洪水や高潮、津波等の災害時においては建物の開口部である出入口が浸水すると建物内に水が浸入し、居住空間や公共施設等であればその場での生活や活動が不可能となり、店舗や倉庫であれば陳列商品や在庫が水浸しとなり多大な被害を受けることになる。
【０００３】
また、近年では気候変動による短時間での集中豪雨が地域を問わず多発する傾向にあり、特に地下空間を有する建物においては、家具や商品等の物理的な被害に留まらず、人命に関わる事態にも発展しやすい為、水害への防災対策は急務の課題となっている。
【０００４】
これまで、建物内への浸水対策は種々考案されており、例えば、防水扉を建物の出入口に設置することで建物内への浸水を防止する引戸式防水装置に係る技術が特許文献１に開示されている。本技術によれば、所定箇所に押圧棒を内設した防水ゴムからなる止水手段を設けた防水扉を床レールと上部レールに沿って建物の出入口にスライド移動させると、防水扉の内部に形成したリンク機構により出入口の開口部に立設した左右柱と床レールとの間に自動的に押圧棒が防水ゴムと共に突出して左右柱等を水密にシールして止水することが可能となる。
【先行技術文献】
【特許文献】
【０００５】
【特許文献１】特開２００８−１５０８２９号公報
【発明の概要】
【発明が解決しようとする課題】
【０００６】
確かに特許文献１に記載の技術によれば、水害時に人力により防水扉を出入口に付勢させることなくスライド移動させるだけで出入口を止水できる点で優れている。しかしながら、一般的な開口を有する出入口を止水する防水扉でさえ数百キロもの重量となるにも関わらず、内部には複雑なリンク機構を形成していることからその重量は過大なものとなり、人手により防水扉をスライド移動させるのは非常に困難である。
【０００７】
また、人力により防水扉を出入口に付勢させない構造により、防水扉と左右柱や床レールとの間隙は突出する防水ゴムの突出量と付勢力により水密性が保たれるため、重量物である防水扉が受ける反作用に抗して防水扉を止水位置にスライド移動させるのは非常に困難である。
【０００８】
更に、たとえ止水位置に止水扉を移動させることができ、スナッチロック５３により止水扉を固定できたとしても、使用後に止水扉を元の位置に戻すには、防水扉と左右柱や床レールとの間に生じた互いの付勢力に抗してロック解除ピン５９を押下しなければならず、これを人手で行うことは非常に困難である。
【０００９】
しかも、内部には複雑なリンク機構を形成していることから、錆等の劣化により損傷する危険性が高まるため、緊急時に実際に可動するか否かを定期的に確認しなければならず非常に煩雑である。
【００１０】
この発明は、シンプルな構造でありながら重量物である止水扉を建物等の出入口に容易に移動して止水可能とする引戸式止水装置を提供することにある。
【課題を解決するための手段】
【００１１】
以上のような目的を達成するために、本発明は以下の技術を提供する。
【００１２】
請求項１に係る発明では、止水扉とガイド溝とガイド支柱と戸当り支柱とで出入口を止水する引戸式の止水装置であって前記止水扉は、水圧面の裏面側に扉止水部を有すると共に、下底部に複数の自在ローラーと複数のコロを有し、前記ガイド溝は、止水時に前記扉止水部と密着当接する溝止水部と、前記自在ローラーが接地して移動する略水平な滑走面と前記コロを垂直方向に無負荷で案内するレール部を有し、前記レール部は、前記止水扉の止水位置において前記止水扉を水圧方向に移動自在とする案内凹部を形成し、前記ガイド支柱は、止水時に前記扉止水部と密着当接するガイド止水部と、前記止水扉の傾倒を防止する支持部を有し、前記戸当り支柱は、止水時に前記扉止水部と密着当接する戸当り止水部を有することを特徴とする引戸式止水装置を提供せんとする。
【００１３】
請求項２に係る発明では、前記止水扉の前記下底部には、前記自在ローラーへの異物付着を防止する遮蔽部を形成したことを特徴とする請求項１に記載の引戸式止水装置を提供せんとする。
【００１４】
請求項３に係る発明では、前記ガイド支柱は、水圧方向に略直交する前記ガイド支柱の外側面を止水する開閉式のガイド支柱止水部を有することを特徴とする請求項１または２に記載の引戸式止水装置を提供せんとする。
【発明の効果】
【００１５】
請求項１記載の発明によれば、止水扉は、水圧面の裏面側に扉止水部を有すると共に、下底部に複数の自在ローラーと複数のコロを有し、ガイド溝は、止水時に扉止水部と密着当接する溝止水部と、自在ローラーが接地して移動する略水平な滑走面とコロを垂直方向に無負荷で案内するレール部を有し、レール部は、止水扉の止水位置において止水扉を水圧方向に移動自在とする案内凹部を形成し、ガイド支柱は、止水時に扉止水部と密着当接するガイド止水部と、止水扉の傾倒を防止する支持部を有し、戸当り支柱は、止水時に扉止水部と密着当接する戸当り止水部を有することより、シンプルな構造でありながら重量物である止水扉を人手により建物等の出入口に容易に移動させて止水することができる。
【００１６】
請求項２記載の発明によれば、止水扉の下底部には、自在ローラーへの異物付着を防止する遮蔽部を形成したことより、自在ローラーに異物を付着させずにガイド溝の滑走面を滑らかに走行させることができる。
【００１７】
請求項３記載の発明によれば、ガイド支柱は、水圧方向に略直交するガイド支柱の外側面を止水する開閉式のガイド支柱止水部を有することより、止水が困難なガイド支柱の外側面をシンプルな構造で止水することができる。
【図面の簡単な説明】
【００１８】
【図１】（ａ）は本実施形態に係る引戸式止水装置の待機位置の斜視説明図で、（ｂ）は止水位置の斜視説明図である。
【図２】（ａ）は本実施形態に係る引戸式止水装置の止水位置の正面図で、（ｂ）は平面図である。
【図３】本実施形態に係る引戸式止水装置の水圧面を示す止水扉の正面図である。
【図４】本実施形態に係る引戸式止水装置の裏面側を示す止水扉の背面図である。
【図５】本実施形態に係る引戸式止水装置のガイド支柱とコロが位置する止水扉を示す側面視断面図である。
【図６】（ａ）は本実施形態に係る引戸式止水装置のガイド溝とコロ部分を示す部分断面図で、（ｂ）は止水時の状態を示す部分断面図である。
【図７】（ａ）は本実施形態に係る引戸式止水装置のガイド部とコロの部分平面図で、（ｂ）は案内凹部にコロが位置する部分平面図で、（ｃ）は案内凹部でコロを水圧方向に移動させた部分平面図である。
【図８】本実施形態に係る引戸式止水装置のガイド部と自在ローラーが位置する止水扉を示す側面視断面図である。
【図９】（ａ）は本実施形態に係る引戸式止水装置のガイド支柱と止水扉の上部側を示す平面視断面図で、（ｂ）は止水時の状態を示す平面視断面図である。
【図１０】（ａ）は本実施形態に係る引戸式止水装置の戸当り支柱と止水扉を示す平面視断面図で、（ｂ）は止水時の状態を示す平面視断面図である。
【図１１】本実施形態に係る他の引戸式止水装置の止水位置の斜視説明図である。
【図１２】（ａ）は本実施形態に係る引戸式止水装置の止水扉の下底部に形成した遮蔽部を示す部分正面図と底面図で、（ｂ）は本実施形態に係る引戸式止水装置の止水扉の下底部に形成した他の遮蔽部を示す部分正面図と底面図である。
【図１３】（ａ）は変形例に係る引戸式止水装置の止水位置の正面図で、（ｂ）は平面図である。
【図１４】変形例に係る引戸式止水装置のガイド支柱と止水扉を示す平面視部分断面図である。
【図１５】変形例に係る引戸式止水装置のガイド支柱と自在ローラーが位置する止水扉を示す側面視断面図である。
【発明を実施するための形態】
【００１９】
本発明の実施形態に係る引戸式止水装置の要旨は、止水扉とガイド溝とガイド支柱と戸当り支柱とで出入口を止水する引戸式の止水装置であって、止水扉は、水圧面の裏面側に扉止水部を有すると共に、下底部に複数の自在ローラーと複数のコロを有し、ガイド溝は、止水時に扉止水部と密着当接する溝止水部と、自在ローラーが接地して移動する略水平な滑走面とコロを垂直方向に無負荷で案内するレール部を有し、レール部は、止水扉の止水位置において止水扉を水圧方向に移動自在とする案内凹部を形成し、ガイド支柱は、止水時に扉止水部と密着当接するガイド止水部と、止水扉の傾倒を防止する支持部を有し、戸当り支柱は、止水時に扉止水部と密着当接する戸当り止水部を有することを特徴とする。すなわち、シンプルな構造でありながら重量物である止水扉を建物等の出入口に容易に移動して止水可能とする引戸式止水装置の提供を図ろうとするものである。
【００２０】
ここで、ガイド支柱と戸当り支柱は、建物の出入口や建物内の通路を形成する開口部の左右に立設したものであり、開口部には、自動ドアや観音開きドア、シャッター等の開閉装置を有していたり、単なる開口のみであっても、建物内外や通路を人や車両等が出入り可能な開口部は全て本発明に係る引戸式止水装置の対象となる。
【００２１】
また、止水扉は、建物内部や通路が浸水しない限りガイド支柱と戸当り支柱の近傍において建物内外や通路の何れに設置してもよい。
【００２２】
また、自在ローラーは、縦、横、斜めの全方向に移動自在の回転車であり、種々の製品を使用できるが、本実施形態では、例えば、株式会社富士製作所製（品番：２５３０−１１１ＷＵ）の自在ローラーを用いている。
【００２３】
また、コロは、いわゆる戸車であり、種々の製品を使用できるが、本実施形態では、例えば、株式会社ヨコヅナ製（品番：ＪＢＳ−Ａ９０６）のコロを用いている。
【００２４】
以下、本発明に係る引戸式止水装置の実施形態について図面を参照しながら説明する。また、本説明中において左右同一又は左右対称の構造や部品については、原則として同一の符号を付し、左右何れか一方のみを説明して、他方については説明を適宜省略する。
【００２５】
[実施形態]
本発明の実施形態に係る引戸式止水装置１は、図１（ａ）、（ｂ）、図４に示すように、止水扉２とガイド溝２１とガイド支柱３１と戸当り支柱４１とで出入口Ｋを止水する引戸式の止水装置１であって、止水扉２は、水圧面１０の裏面側１６に扉止水部１７を有すると共に、下底部に複数の自在ローラー３と複数のコロ５を有し、ガイド溝２１は、止水時に扉止水部１７と密着当接する溝止水部２２と、自在ローラー３が接地して移動する略水平な滑走面２３とコロ５を垂直方向に無負荷で案内するレール部２４を有し、レール部２４は、止水扉２の止水位置Ａにおいて止水扉２を水圧方向Ｐに移動自在とする案内凹部２６を形成し、ガイド支柱３１は、止水時に扉止水部１７と密着当接するガイド止水部３８と、止水扉２の傾倒を防止する支持部を有し、戸当り支柱４１は、止水時に扉止水部１７と密着当接する戸当り止水部４８を有している。
【００２６】
また、止水扉２の水圧面１０の左右縁部と下縁部には回転式のロック機構１１を複数配設すると共に、水圧面１０の左右側には取手１４を配設している。
【００２７】
また、引戸式止水装置１は、待機時の止水扉２を保持するための保持支柱５５とガイド部６１を備えると共に、止水扉２を使用しない待機時にガイド溝２１内部への異物等の侵入を防止するカバー６８を備えている。
【００２８】
従って、図１（ａ）に示すように止水扉２の取手１４を把持して左方にスライドさせる際、止水扉２はコロ５によりレール部２４に案内され、図１（ｂ）に示すように出入口Ｋを閉塞する止水位置Ａまで自在ローラー３により移動でき、更に、止水位置Ａのコロ５はレール部２４が有する図７（ａ）に示すような案内凹部２６に案内され自在ローラー３により止水扉２を出入口Ｋ側に移動させることで止水扉２を出入口Ｋの前方に位置させることができる。
【００２９】
その後、止水扉２は、複数のロック機構１１によりガイド支柱３１と戸当り支柱４１、ガイド溝２１と密着当接した状態で略固定される。
【００３０】
以下、本実施形態に係る引戸式止水装置１の具体的な構成について図面を示して詳述する。
【００３１】
止水扉２は、図２に示すように横長の長方形状に形成しており、図３に示す水圧面１０の左右縁部に各３個のロック機構１１ａ，１１ｂを配設し、下縁部にも３個のロック機構１１ｃを配設している。ロック機構１１は、回転軸を有し把持部１２と係止部１３とを備え、把持部１２を略９０°回転させることで係止部１３を操作する。
【００３２】
例えば、図６（ａ）に示すように下縁部のロック機構１１ｃは略水平な位置にある把持部１２を図６（ｂ）に示すように垂直方向に回動させることでガイド溝２１の内壁面に形成されたガイド溝側係止受部２７に係止部１３が当接しながら挿入され、止水扉２に付勢力を与えつつ略固定させることができる。
【００３３】
なお、ガイド溝側係止受部２７は、ロック機構１１ｃ（１１ａ，１１ｂ）の係止部１３が確実に係止するものであれば如何なる形状・材質であっても良く、また、ガイド溝２１の内壁面（や戸当り支柱４１の戸当り側突片４３の内壁面）がそのまま係止部１３と係止する場合はガイド溝側係止受部２７（戸当り側係止受部４４）を設ける必要はない。
【００３４】
また、図１（ａ）に示すように、水圧面１０の左右側に配設された取手１４は、丸棒を屈曲してコ字状に形成し、端部を上下として水圧面１０に突設している。
【００３５】
止水扉２の水圧面１０の裏面側１６には、図３，（図１０（ａ））に示すように進行方向側の側面、及び図４に示すように左右縁部及び下縁部に扉止水部１７を形成している。扉止水部１７は柔軟性を有するＥＰＤＭ（エチレンプロピレンジエンゴム）やウレタンゴム等の合成樹脂材料を帯状に形成し、進行方向側の側面においては、上下に伸延する扉止水部１７を１本配設して、図１０（ａ）、（ｂ）に示すように止水時に後述する戸当り支柱４１の戸当り止水部４８をなす内底面４７と密着当接する。
【００３６】
左方においては、上下に伸延する扉止水部１７ａを平行に２本配設して、図９（ａ）、（ｂ）に示すように止水時に後述するガイド支柱３１のガイド止水部３８と密着当接する。
【００３７】
また、右方においては、上下に伸延する扉止水部１７ｂを１本配設して、図１０（ａ）、（ｂ）に示すように止水時に後述する戸当り支柱４１の戸当り止水部４８をなす内壁面４６と密着当接する。
【００３８】
更に、下方においては、左右に伸延する扉止水部１７ｃを１本配設して、図６（ａ）、（ｂ）に示すように止水時に後述するガイド溝２１の溝止水部２２と密着当接する。
【００３９】
なお、本実施形態では扉止水部１７をＥＰＤＭ等の材料で形成しているが、密着当接して止水性を確保できれば本実施形態に限定されず、例えば、戸当り支柱４１やガイド支柱３１やガイド溝２１の戸当り止水部４８やガイド止水部３８や溝止水部２２にＥＰＤＭ等の材料を配設し、止水扉２の裏面側１６をそのまま当接させて水密性を確保しても良く、また、戸当り止水部４８やガイド止水部３８や溝止水部２２を凸状としても良く、種々の変形・変更が可能である。
【００４０】
また、図４に示すように、左方に形成した平行な２本の扉止水部１７の間であって、その上縁部には、図９（ａ）、（ｂ）に示すように止水位置Ａでガイド支柱３１に形成された後述するボールキャスター３９と係合する位置に凹状の係止凹部１８を形成している。
【００４１】
また、止水扉２の下底部には、図２、図５、図８、（図１２（ａ）、（ｂ））に示すようにコロ５と自在ローラー３を配設し、自在ローラー３は、ガイド溝２１の内底面である滑走面２３に接地して止水扉２をいかなる方向へも移動自在とし、コロ５は、ガイド溝２１の内底面に形成されたレール部２４により垂直方向に対して無負荷で案内されるよう形成している。
【００４２】
すなわち、自在ローラー３は止水扉２の重量を支持し、コロ５は止水扉２を案内するだけであり止水扉２の重量を支持することはない。
【００４３】
具体的には、コロ５は、図６（ａ）に示すように、止水扉２の下底部において下底面を被覆するように長尺で断面視コ字状のコロ設置ステー６を開放端側が下方となるよう形成し、コロ設置ステー６の水圧側Ｐの垂直片７の内側壁の中途部に長尺で断面視Ｌ字状の取付片８を形成して垂直片７と取付片８との間に軸通したコロ５を止水扉２の左右側に１個、合計２個を配設している。
【００４４】
自在ローラー３は、図８に示すように、コロ設置ステー６の内底部の略中央部において長尺で断面視コ字状のローラー設置ステー４を開放端側が下方となるよう重設し、軸通した自在ローラー３を所定間隔で７個配設している。
【００４５】
また、ガイド溝２１は、図２、図５に示すように、止水扉２の待機位置Ｂから止水位置Ａに及ぶ長尺で断面視コ字状に形成し開放端側を上方として建物の床Ｆに埋設している。
【００４６】
ガイド溝２１の内底部に突設したレール部２４は、図６（ａ）、（ｂ）、図７（ａ）に示すように、ガイド溝２１と略同長さでコロ５の受幅Ｔよりも若干だけ幅狭な直線案内部２５と、直線案内部２５の略半分の幅員ｔに形成された案内凹部２６を有する断面視矩形棒状に形成している。
【００４７】
具体的には、図２（ａ）に示す止水位置Ａのコロ５が位置する図７（ｂ）に示すレール部２４に案内凹部２６が形成され、また、案内凹部２６は、水圧側Ｐに凹状となるよう形成され、その他の部分は直線案内部２５が形成されている。
【００４８】
すなわち、図６（ａ）、図７（ａ）に示すように止水扉２が止水位置Ａに移動するまでコロ５はレール部２４の直線案内部２５により案内され、止水位置Ａでは図６（ｂ）、図７（ｃ）に示すように案内凹部２６により止水扉２を人手で出入口Ｋ側に移動させることができる。
【００４９】
なお、自在ローラー３やコロ５の数量や位置は止水扉２の大きさや重量により任意であることは言うまでもないが、例えば、自在ローラー３やコロ５の間に止水扉２の重量を受ける自在ローラー３を補強するような別途のキャスター車輪等を配設してもよい。
【００５０】
また、ガイド支柱３１は、図１（ａ）、（ｂ）、図２（ａ）に示すように、建物等の壁面Ｗに沿って上下に伸延して立設し、止水扉２を使用しない待機時には後述する保持支柱５５とガイド部６１とで止水扉２が傾倒しないよう待機位置Ｂで保持し、使用時には止水扉２が待機位置Ｂから止水位置Ａまでの移動の際に傾倒しないよう、また、止水位置Ａでは止水扉２と密着当接して止水する。
【００５１】
具体的には、ガイド支柱３１は、図５に示すように、前面のガイド前側板３２と、上端部のガイド天板３４と、ガイド前側板３２と対峙して壁面Ｗに接続されるガイド後側板３６と、で側面視コ字状に形成しガイド前側板３２とガイド後側板３６の開放端部側を床Ｆに立設している。
【００５２】
ガイド前側板３２は、縦長の矩形長方形状に形成し、図９（ａ）、（ｂ）に示すように、止水扉２のロック機構１１と係合自在とするガイド側係止受部３３を内壁面に形成している。
【００５３】
また、ガイド天板３４は、図５に示すように、ガイド前側板３２とガイド後側板３６の上端部と連接する矩形板状に形成し、図９（ａ）に示すように、ガイド前側板３２寄りの２箇所において鉛直方向に回転軸を有する太鼓状のガイドローラー３５からなる支持部を平行に垂設し、止水扉２の水圧面１０の上端縁近傍と接して止水扉２の移動時の案内や傾倒防止を行う。
【００５４】
また、ガイド後側板３６は、図９（ａ）に示すように、平面視コ字状に形成して後側面を壁面Ｗに接続して固定し、左右に位置するガイド側突片３７で囲繞された内底面の上縁部近傍にボールキャスター３９からなる支持部を２箇所配設し、止水位置Ａで止水扉２の裏面側１６に２箇所形成された係止凹部１８と係合するよう構成している。
【００５５】
ボールキャスター３９は、止水扉２の裏面側１６の上端縁近傍と接して止水扉２の移動時の案内や傾倒防止を行うものであり、内部にバネ材を有し（例えば、タキゲン製造株式会社  品番：Ｋ−１４２−８Ｙ）て止水扉２の移動時の衝撃等を緩和する。
【００５６】
また、止水扉２の係止凹部１８は、レール部２４の案内凹部２６の幅員ｔ、すなわち、止水扉２を出入口Ｋ側に移動させることができる距離と略等しい深さで形成することで、止水扉２を待機位置Ｂから止水位置Ａに移動させ、更に、出入口Ｋ側に移動させてもボールキャスター３９が移動の障害とならないよう形成している。
【００５７】
また、ガイド後側板３６の２つのガイド側突片３７は、ガイド後側板３６の上端から床Ｆ面に至るまで形成され、ガイド側突片３７の前端面をガイド止水部３８として図９（ｂ）に示すように止水時に止水扉２の扉止水部１７と密着当接するよう構成している。
【００５８】
また、戸当り支柱４１は、図１（ａ）、図１０（ａ）に示すように、平面視コ字状の本体部４２の開放端部側をガイド支柱３１に向けて床Ｆ面に立設すると共に、一側面を壁面Ｗに接続して固定し、更に、後側面には戸当り支柱４１を補強するために壁面Ｗと接続させたフランジ部５０を形成している。
【００５９】
また、止水扉２のロック機構１１と係合自在とする戸当り側係止受部４４を一方の戸当り側突片４３の内壁面に形成すると共に、他方の戸当り側突片４５の内壁面４６と、２つの突片４３，４５で囲繞された内底面４７を戸当り止水部４８として止水時に止水扉２の扉止水部１７と密着当接するよう構成している。
【００６０】
また、保持支柱５５は、図１（ｂ）、図２（ｂ）に示すように、上述した戸当り支柱４１と同構造であり、止水扉２の待機位置Ｂから止水扉２が更に右側に移動しないように保持するよう戸当り支柱４１と対称に配設している。
【００６１】
また、ガイド部６１は、図２（ｂ）、図８に示すように、鉛直方向に回転軸を有する２つのガイドローラー６３を前後に配設して止水扉２の水圧面１０と裏面側１６の上端縁近傍を移動自在に挟持するよう壁面Ｗに固定している。
【００６２】
具体的には、壁面Ｗに接続され壁面Ｗ側のガイドローラー６３の回転軸の下端部を固定する基端部６２と、前方のガイドローラー６３の回転軸の下端部を固定する軸固定部６４と、これらを連接して２つのガイドローラー６３，６３の回転軸の上端部を固定するステー部６５とで構成している。
【００６３】
以上、説明したように、本実施形態に係る引戸式止水装置１は、図１（ａ）に示す待機位置Ｂでは、ガイド支柱３１が有する支持部（ガイドローラ―３５）とガイド部６１、及び保持支柱５５により止水扉２は傾倒することなく保持され、止水時には図１（ｂ）に示すように戸当り支柱４１に当接するまで止水扉２を左方へ移動し、この止水位置Ａから更に止水扉２を出入口Ｋ側に移動させた後に全てのロック機構１１を回動させ、止水扉２をガイド溝２１とガイド支柱３１と戸当り支柱４１とに係合させれば各止水部２２，３８，４８が各々密着当接して水密性が確保され、建物の内部や通路への水の侵入を防止することができる。
【００６４】
そして、このような重量物である止水扉２を人手により待機位置Ｂから止水位置Ａ、更には前方への移動を容易に行うことができるのは、止水扉２の下底部に配設された複数の自在ローラー３によるものであり、更に、止水扉２の移動を確実に案内できるのは、同じく止水扉２の下底部に配設された２つのコロ５が垂直方向に無負荷で案内するレール部２４によるものであり、しかも、止水扉２を前方に移動させるレール部２４の所定箇所に案内凹部２６を形成したことにより一連の操作を容易に行うことが可能となっている。
【００６５】
以上のように、本実施形態に係る引戸式止水装置１は、止水扉２の水圧面１０の裏面側１６に扉止水部１７を有すると共に、下底部に複数の自在ローラー３と複数のコロ５を有し、ガイド溝２１は、止水時に扉止水部１７と密着当接する溝止水部２２と、自在ローラー３が接地して移動する略水平な滑走面２３とコロ５を垂直方向に無負荷で案内するレール部２４を有し、レール部２４は、止水扉２の止水位置Ａにおいて止水扉２を水圧方向Ｐに移動自在とする案内凹部２６を形成し、ガイド支柱３１は、止水時に扉止水部１７と密着当接するガイド止水部３８と、止水扉２の傾倒を防止する支持部を有し、戸当り支柱４１は、止水時に扉止水部１７と密着当接する戸当り止水部４８を有することより、シンプルな構造でありながら重量物である止水扉２を人手により建物等の出入口Ｋに容易に移動させて止水することができる。
【００６６】
なお、本実施形態に係る引戸式止水装置１は、上述したように出入口Ｋや通路の開口の一部を止水することに限定されるものではなく、図１１に示すように開口の全体を止水することも可能である。
【００６７】
この場合、例えば、ガイド支柱３１と戸当り支柱４１を出入口Ｋの上部近傍まで伸延し、両柱３１，４１の上端部に上部止水桟７１を跨設して、止水扉２の上縁部に配設したロック機構１１により止水扉２を上部止水桟７１にも固定させるよう構成する。
【００６８】
上部止水桟７１は、コ字状のガイド溝２１と略同構造で開放端部側を下方に向けて形成することで、略水平な位置にあるロック機構１１の把持部１２を垂直方向に回転させることで上部止水桟７１の内壁面に形成したガイド溝２１のガイド溝側係止受部に相当する図示しない桟側係止受部に係止部１３が当接しながら挿入され、止水扉２に付勢力を与えつつ略固定させることができる。
【００６９】
また、上部止水桟７１にはガイド溝２１に形成されたガイド止水部３８と同様に上部止水部（図示せず）を有し、止水扉２には、図４に示す扉止水部１７の如く、上縁部において左右に伸延する扉止水部（図示せず）を１本配設して、止水時に上部止水桟７１の上部止水部と密着当接するよう構成する。
【００７０】
このようにして、出入口Ｋや通路の開口の全体を止水することができる。
【００７１】
また、本実施形態に係る引戸式止水装置１は、自在ローラー３に異物を付着させずにガイド溝２１の滑走面２３を滑らかに走行できるよう、図１２（ａ）に示すように、止水扉２の下底部に遮蔽部７５を形成することもできる。
【００７２】
遮蔽部７５は、滑走面２３に到達する多数の毛で構成されたブラシ状で、止水扉２の進行方向側の下底部の端部において水平方向に略４５°の傾斜角度で形成し、止水扉２を止水位置Ａに移動させる際に滑走面２３に存在する異物を除去しながら走行することで自在ローラー３の走行性を向上させることができる。
【００７３】
なお、遮蔽部７５は、本実施形態に限定されず、例えば、他の複数の自在ローラー３の間に複数箇所形成してもよく、また、滑走面２３の異物を除去できる構造であればブラシ状でなくてもよい。
【００７４】
また、遮蔽部７５は、図１２（ｂ）に示すように、止水扉２の下底部において全ての自在ローラー３を囲繞するように形成し、待機時における止水扉２の直下の滑走面２３への異物付着を防止することもできる。
【００７５】
このように、遮蔽部７５は、自在ローラー３の走行を阻害する滑走面２３の異物を除去したり付着防止を図る如何なる構造であっても本発明の要旨の範囲内において種々の変更・変更が可能である。
【００７６】
以上のように、本実施形態に係る引戸式止水装置１は、止水扉２の下底部に自在ローラー３への異物付着を防止する遮蔽部７５を形成したことより、自在ローラー３に異物を付着させずにガイド溝２１の滑走面２３を滑らかに走行させることができる。
【００７７】
次に、本実施形態に係る引戸式止水装置の変形例について図面を用いて説明する。
【００７８】
なお、本変形例に係る引戸式止水装置１０１は、上述した引戸式止水装置１の水圧方向Ｐを逆とした場合に有効な止水装置１０１であるため共通する構成には同一の符合を付して説明を適宜省略し、異なる部分についてのみ詳述する。
【００７９】
[引戸式止水装置の変形例]
変形例に係る引戸式止水装置１０１のガイド支柱３１は、図１３（ａ）、（ｂ）、図１４に示すように、水圧方向Ｐに略直交するガイド支柱３１の外側面１０２を止水する開閉式のガイド支柱止水部１０３を有している。
【００８０】
また、止水扉２の水圧面１０の裏面側１６の左右縁部には、図１３〜図１５に示すように、支柱係合受部１１２を形成すると共に、ガイド支柱３１と戸当り支柱４１には、連結係合部１１９を形成している。
【００８１】
ガイド支柱止水部１０３は、具体的には、図１４に示すように、ガイド溝２１の内底部まで伸延する縦長の長方形状に形成し、壁面Ｗに固定したガイド支柱３１のガイド後側板３６側の右方において鉛直方向に回転軸を軸架しており、止水扉２が待機位置Ｂの場合は壁面Ｗに略平行（破線部）に収納し、止水位置Ａの場合はガイド支柱３１の内部から引き出して使用する。
【００８２】
ガイド支柱止水部１０３には丸棒を屈曲して略コ字状とした２つの端部を略水平に突設して取手１０４を形成すると共に、回転軸近傍において縦長帯状のＥＰＤＭやウレタン等の柔軟性材料からなるガイド基端止水部１０５をガイド溝２１の内底部近傍まで形成している。
【００８３】
また、ガイド支柱３１の外側面をガイド支柱止水部１０３により閉蓋する際、ガイド前側板３２の近傍に位置する部分に同じく縦長帯状のＥＰＤＭやウレタン等の柔軟性材料からなるガイド縁端止水部１０８をガイド溝２１の内底部近傍まで形成している。
【００８４】
また、ガイド後側板３６の回転軸近傍で閉蓋時にガイド基端止水部１０５と当接する位置を凸状とした第一ガイド止水部１０６を形成すると共に、第一ガイド止水部１０６はガイド溝２１の内壁にも形成している。
【００８５】
また、ガイド前側板３２には閉蓋時にガイド縁端止水部１０８と当接する位置を凸状とした第二ガイド止水部１０９を形成すると共に、第二ガイド止水部１０９はガイド溝２１の内壁にも形成している。
【００８６】
更に、ガイド支柱止水部１０３の下底部にはガイド溝２１の内底面と当接する図示しない帯状のＥＰＤＭやウレタン等の柔軟性材料からなるガイド下端止水部を形成している。
【００８７】
このようにして、止水時にガイド支柱止水部１０３をガイド支柱３１の内部から取手１０４を把持して回動させガイド支柱３１の外側面１０２を閉蓋することで、ガイド支柱３１の内部に侵入した水の水圧によりガイド支柱止水部１０３のガイド基端止水部１０５とガイド縁端止水部１０８が第一ガイド止水部１０６と第二ガイド止水部１０９と密着当接すると共に、ガイド下端止水部によりガイド溝２１との間を止水する。
【００８８】
また、ガイド前側板３２の内壁面の略中央部には鉛直方向に第三ガイド止水部１１０を突設し、止水時に止水扉２の裏面側１６に形成した扉止水部１７と密着当接して止水扉２とガイド前側板３２との間を止水する。
【００８９】
なお、ガイド支柱止水部１０３の開蓋時においては、ガイド支柱３１の内部でガイド支柱止水部１０３をマグネット等で吸着や係合させて略固定させたり、ガイド支柱止水部１０３の閉蓋時においては、ガイド支柱止水部１０３をガイド前側板３２にマグネット等で吸着や係合させて略固定することも可能である。
【００９０】
また、図１３（ａ）、（ｂ）に示すように、止水扉２の裏面側１６の左右縁部には、取手１１７が裏面側１６から突出しないように矩形凹状の取手凹部１１６を形成し、取手凹部１１６の略中央部に丸棒からなる取手１１７を垂設している。
【００９１】
また、止水扉２の裏面側１６の左右縁部には、図１３（ａ）に示すように、各々上下３箇所に矩形凹状の係合凹部１１３を形成し、係合凹部１１３の下方に丸棒からなる係合棒１１４を略水平に跨設して支柱係合受部１１２を形成している。
【００９２】
また、止水時に止水扉２の係合凹部１１３と係合棒１１４の近傍に位置するガイド支柱３１と戸当り支柱４１の側面には、図１５に示すように、連結係合部１１９を形成し、係合棒１１４と係合させることで止水位置Ａの止水扉２をガイド支柱３１や戸当り支柱４１、ガイド溝２１に引き寄せて付勢することができる。
【００９３】
具体的には、連結係合部１１９は、係合片１２０と連結ステー１２２で構成し、係合片１２０は、一方の端部側を鍵状に形成してフック部１２１とし、中途部を回転自在に各々の柱３１，４１に軸支し、他方の端部側を連結ステー１２２と回転自在に遊嵌して形成している。
【００９４】
従って、連結ステー１２２を把持して上下に操作することで３つの係合片１２０を同時に動かすことができるので、止水扉２の係合棒１１４に係合片１２０のフック部１２１を係合させることができる。
【００９５】
以上、説明したように、本変形例に係る引戸式止水装置１０１は、図１４の破線部に示すように、待機位置Ｂでは、ガイド支柱止水部１０３を開蓋してガイド支柱３１の内部に収納することでガイド支柱止水部１０３が止水扉２と干渉することなく、また、止水時には止水位置Ａにて実線で示すようにガイド支柱止水部１０３を閉蓋することでガイド支柱３１の外側面１０２を止水することができる。
【００９６】
また、止水位置Ａの止水扉２は、取手１１７により水圧方向Ｐに移動させつつガイド支柱３１と戸当り支柱４１の側面に形成した連結係合部１１９の連結ステー１２２を操作して止水扉２の係合棒１１４に係合片１２０のフック部１２１を係合させ止水扉２をガイド支柱３１や戸当り支柱４１、ガイド溝２１に引き寄せれば各止水部２２，３８，４８が各々密着当接して水密性が確保され、建物の内部や通路への水の侵入を防止することができる。
【００９７】
そして、このような重量物である止水扉２を人手により待機位置Ｂから止水位置Ａ、更には水圧方向Ｐへの移動を容易に行うことができるのは、止水扉２の下底部に配設された複数の自在ローラー３によるものであり、更に、止水扉２の移動を確実に案内できるのは、同じく止水扉２の下底部に配設された２つのコロ５が垂直方向に無負荷で案内するレール部２４によるものであり、しかも、止水扉２を水圧方向Ｐに移動させるレール部２４の所定箇所に案内凹部２６を形成したことにより一連の操作を容易に行うことが可能となっている。
【００９８】
以上のように、変形例に係る引戸式止水装置１０１は、ガイド支柱３１において、水圧方向Ｐに略直交するガイド支柱３１の外側面１０２を止水する開閉式のガイド支柱止水部１０３を有することより、止水が困難なガイド支柱３１の外側面をシンプルな構造で止水することができる
【００９９】
以上、本発明の好ましい実施形態と変形例について説明したが、本発明は係る特定の実施形態や変形例に限定されるものではなく、特許請求の範囲に記載された本発明の要旨の範囲内において、種々の変形・変更が可能である。
【符号の説明】
【０１００】
Ａ  止水位置
Ｋ  出入口
Ｐ  水圧方向
１  引戸式止水装置
２  止水扉
３  自在ローラー
５  コロ
１０  水圧面
１６  裏面側
１７  扉止水部
２１  ガイド溝
２２  溝止水部
２３  滑走面
２４  レール部
２６  案内凹部
３１  ガイド支柱
３８  ガイド止水部
４１  戸当り支柱
４８  戸当り止水部
７５  遮蔽部
１０１  引戸式止水装置（変形例）
１０２  外側面
１０３  ガイド支柱止水部
【図１】
2019077989.tif 000003
【図２】
2019077989.tif 000004
【図３】
2019077989.tif 000005
【図４】
2019077989.tif 000006
【図５】
2019077989.tif 000007
【図６】
2019077989.tif 000008
【図７】
2019077989.tif 000009
【図８】
2019077989.tif 000010
【図９】
2019077989.tif 000011
【図１０】
2019077989.tif 000012
【図１１】
2019077989.tif 000013
【図１２】
2019077989.tif 000014
【図１３】
2019077989.tif 000015
【図１４】
2019077989.tif 000016
【図１５】
2019077989.tif 000017